【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
テキストセグメント内の曖昧な用語の意味を識別するための方法であって、前記方法は、
前記テキストセグメント内の第１の未知の用語を識別することと、
第１のコンテキスト用語に関して前記テキストセグメントを分析することと、
前記第１のコンテキスト用語と関連付けられる第１のナレッジグラフにアクセスし、前記第１の未知の用語の意味である潜在的用語を識別することによって、前記第１の未知の用語の前記意味を決定することと、
前記第１のナレッジグラフが前記第１の未知の用語の前記意味であり得る１つを上回る潜在的用語を含むことを決定することに応答して、
前記テキストセグメントと関連付けられるタイムスタンプを決定することと、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定することと
を含む、方法。
【請求項２】
前記第２のナレッジグラフは、特定の時間間隔と関連付けられ、前記特定の時間間隔の位置は、前記テキストセグメントの前記タイムスタンプに基づいて決定される、請求項１に記載の方法。
【請求項３】
前記第２のナレッジグラフと関連付けられる前記特定の時間間隔の持続時間は、前記第１のナレッジグラフと関連付けられる時間間隔の持続時間よりも短い、請求項２に記載の方法。
【請求項４】
前記第２のナレッジグラフと関連付けられる前記特定の時間間隔の前記位置は、前記第２のナレッジグラフと関連付けられる前記特定の時間間隔が前記タイムスタンプと重複するようなものである、請求項２に記載の方法。
【請求項５】
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、請求項２に記載の方法。
【請求項６】
前記特定の時間間隔の持続時間は、前記テキストセグメントを分析することによって識別される時間インジケータに部分的に基づく、請求項２に記載の方法。
【請求項７】
前記特定の時間間隔の持続時間は、前記テキストセグメントのソースに部分的に基づく、請求項２に記載の方法。
【請求項８】
前記第１のナレッジグラフが、前記第１の未知の用語の前記意味であり得る、いかなる潜在的用語も含まないことを決定することと、
前記テキストセグメント内の第２のコンテキスト用語を識別することと、
前記第２のコンテキスト用語に基づいて、前記第１の未知の用語の前記意味を決定することと
をさらに含む、請求項１に記載の方法。
【請求項９】
前記第２のナレッジグラフが前記第１の未知の用語の前記意味であり得る１つを上回る潜在的用語を含むことを決定することと、
前記特定の時間間隔の持続時間および前記特定の時間間隔の前記位置のうちの少なくとも１つを調節することと、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定することと
をさらに含む、請求項２に記載の方法。
【請求項１０】
前記第２のナレッジグラフが、前記第１の未知の用語の前記意味であり得る、いかなる潜在的用語も含まないことを決定することと、
前記特定の時間間隔の持続時間および前記特定の時間間隔の前記位置のうちの少なくとも１つを調節することと、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定することと
をさらに含む、請求項２に記載の方法。
【請求項１１】
テキストセグメント内の曖昧な用語の意味を識別するためのシステムであって、前記システムは、
制御回路であって、前記制御回路は、
前記テキストセグメント内の第１の未知の用語を識別することと、
第１のコンテキスト用語に関して前記テキストセグメントを分析することと、
前記第１のコンテキスト用語と関連付けられる第１のナレッジグラフにアクセスし、前記第１の未知の用語の意味である潜在的用語を識別することによって、前記第１の未知の用語の前記意味を決定することと、
前記第１のナレッジグラフが前記第１の未知の用語の前記意味であり得る１つを上回る潜在的用語を含むことを決定することに応答して、
前記テキストセグメントと関連付けられるタイムスタンプを決定することと、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定することと
を行うように構成される、制御回路
を備える、システム。
【請求項１２】
前記第２のナレッジグラフは、特定の時間間隔と関連付けられ、前記特定の時間間隔の位置は、前記テキストセグメントの前記タイムスタンプに基づいて決定される、請求項１１に記載のシステム。
【請求項１３】
前記第２のナレッジグラフと関連付けられる前記特定の時間間隔の持続時間は、前記第１のナレッジグラフと関連付けられる時間間隔の持続時間よりも短い、請求項１２に記載のシステム。
【請求項１４】
前記第２のナレッジグラフと関連付けられる前記特定の時間間隔の前記位置は、前記第２のナレッジグラフと関連付けられる前記特定の時間間隔が前記タイムスタンプと重複するようなものである、請求項１２に記載のシステム。
【請求項１５】
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、請求項１２に記載のシステム。
【請求項１６】
前記特定の時間間隔の持続時間は、前記テキストセグメントを分析することによって識別される時間インジケータに部分的に基づく、請求項１２に記載のシステム。
【請求項１７】
前記特定の時間間隔の持続時間は、前記テキストセグメントのソースに部分的に基づく、請求項１２に記載のシステム。
【請求項１８】
前記第１のナレッジグラフが、前記第１の未知の用語の前記意味であり得る、いかなる潜在的用語も含まないことを決定することと、
前記テキストセグメント内の第２のコンテキスト用語を識別することと、
前記第２のコンテキスト用語に基づいて、前記第１の未知の用語の前記意味を決定することと
を行うように構成される、前記制御回路
をさらに備える、請求項１１に記載のシステム。
【請求項１９】
前記第２のナレッジグラフが前記第１の未知の用語の前記意味であり得る１つを上回る潜在的用語を含むことを決定することと、
前記特定の時間間隔の持続時間および前記特定の時間間隔の前記位置のうちの少なくとも１つを調節することと、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定することと
を行うように構成される、前記制御回路
をさらに備える、請求項１２に記載のシステム。
【手続補正２】
【補正対象書類名】明細書
【補正対象項目名】００２５
【補正方法】変更
【補正の内容】
【００２５】
上記に説明されるシステム、方法、装置、および／または側面は、本開示に説明される他のシステム、方法、装置、および／または側面に適用され得る、もしくはそれらに従って使用され得ることに留意されたい。
本発明は、例えば、以下を提供する。
（項目１）
時間的ナレッジグラフに基づいて、テキストセグメント内の曖昧な用語の意味を識別するための方法であって、前記方法は、
前記テキストセグメントと関連付けられるタイムスタンプを決定することと、
前記テキストセグメント内のコンテキスト用語と関連付けられ、前記タイムスタンプに関連する前記時間的ナレッジグラフにアクセスし、前記曖昧な用語の前記意味である潜在的用語を決定することによって、前記曖昧な用語の前記意味を決定することと
を含む、方法。
（項目２）
テキストセグメント内の曖昧な用語の意味を識別するための方法であって、前記方法は、
前記テキストセグメント内の第１の未知の用語を識別することと、
第１のコンテキスト用語に関して前記テキストセグメントを分析することと、
前記第１のコンテキスト用語と関連付けられる第１のナレッジグラフにアクセスし、前記第１の未知の用語の意味である潜在的用語を識別することによって、前記第１の未知の用語の前記意味を決定することと、
前記第１のナレッジグラフが前記第１の未知の用語の前記意味であり得る１つを上回る潜在的用語を含むことを決定することに応答して、
前記テキストセグメントと関連付けられるタイムスタンプを決定することと、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定することと
を含む、方法。
（項目３）
前記第２のナレッジグラフは、特定の時間間隔と関連付けられ、前記特定の時間間隔の位置は、前記テキストセグメントの前記タイムスタンプに基づいて決定される、項目２に記載の方法。
（項目４）
前記第２のナレッジグラフと関連付けられる前記特定の時間間隔の持続時間は、前記第１のナレッジグラフと関連付けられる時間間隔の持続時間よりも短い、項目３に記載の方法。
（項目５）
前記第２のナレッジグラフと関連付けられる前記特定の時間間隔の前記位置は、前記第２のナレッジグラフと関連付けられる前記特定の時間間隔が前記タイムスタンプと重複するようなものである、項目３に記載の方法。
（項目６）
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、項目３に記載の方法。
（項目７）
前記特定の時間間隔の持続時間は、前記テキストセグメントを分析することによって識別される時間インジケータに部分的に基づく、項目３に記載の方法。
（項目８）
前記特定の時間間隔の持続時間は、前記テキストセグメントのソースに部分的に基づく、項目３に記載の方法。
（項目９）
前記第１のナレッジグラフが、前記第１の未知の用語の前記意味であり得る、いかなる潜在的用語も含まないことを決定することと、
前記テキストセグメント内の第２のコンテキスト用語を識別することと、
前記第２のコンテキスト用語に基づいて、前記第１の未知の用語の前記意味を決定することと
をさらに含む、項目２に記載の方法。
（項目１０）
前記第２のナレッジグラフが前記第１の未知の用語の前記意味であり得る１つを上回る潜在的用語を含むことを決定することと、
前記特定の時間間隔の持続時間および前記特定の時間間隔の前記位置のうちの少なくとも１つを調節することと、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定することと
をさらに含む、項目３に記載の方法。
（項目１１）
前記第２のナレッジグラフが、前記第１の未知の用語の前記意味であり得る、いかなる潜在的用語も含まないことを決定することと、
前記特定の時間間隔の持続時間および前記特定の時間間隔の前記位置のうちの少なくとも１つを調節することと、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定することと
をさらに含む、項目３に記載の方法。
（項目１２）
テキストセグメント内の曖昧な用語の意味を識別するためのシステムであって、前記システムは、
制御回路であって、前記制御回路は、
前記テキストセグメント内の第１の未知の用語を識別することと、
第１のコンテキスト用語に関して前記テキストセグメントを分析することと、
前記第１のコンテキスト用語と関連付けられる第１のナレッジグラフにアクセスし、前記第１の未知の用語の意味である潜在的用語を識別することによって、前記第１の未知の用語の前記意味を決定することと、
前記第１のナレッジグラフが前記第１の未知の用語の前記意味であり得る１つを上回る潜在的用語を含むことを決定することに応答して、
前記テキストセグメントと関連付けられるタイムスタンプを決定することと、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定することと
を行うように構成される、制御回路
を備える、システム。
（項目１３）
前記第２のナレッジグラフは、特定の時間間隔と関連付けられ、前記特定の時間間隔の位置は、前記テキストセグメントの前記タイムスタンプに基づいて決定される、項目１２に記載のシステム。
（項目１４）
前記第２のナレッジグラフと関連付けられる前記特定の時間間隔の持続時間は、前記第１のナレッジグラフと関連付けられる時間間隔の持続時間よりも短い、項目１３に記載のシステム。
（項目１５）
前記第２のナレッジグラフと関連付けられる前記特定の時間間隔の前記位置は、前記第２のナレッジグラフと関連付けられる前記特定の時間間隔が前記タイムスタンプと重複するようなものである、項目１３に記載のシステム。
（項目１６）
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、項目１３に記載のシステム。
（項目１７）
前記特定の時間間隔の持続時間は、前記テキストセグメントを分析することによって識別される、時間インジケータに部分的に基づく、項目１３に記載のシステム。
（項目１８）
前記特定の時間間隔の持続時間は、前記テキストセグメントのソースに部分的に基づく、項目１３に記載のシステム。
（項目１９）
前記第１のナレッジグラフが、前記第１の未知の用語の前記意味であり得る、いかなる潜在的用語も含まないことを決定することと、
前記テキストセグメント内の第２のコンテキスト用語を識別することと、
前記第２のコンテキスト用語に基づいて、前記第１の未知の用語の前記意味を決定することと
を行うように構成される、前記制御回路
をさらに備える、項目１２に記載のシステム。
（項目２０）
前記第２のナレッジグラフが前記第１の未知の用語の前記意味であり得る１つを上回る潜在的用語を含むことを決定することと、
前記特定の時間間隔の持続時間および前記特定の時間間隔の前記位置のうちの少なくとも１つを調節することと、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定することと
を行うように構成される、前記制御回路
をさらに備える、項目１３に記載のシステム。
（項目２１）
前記第２のナレッジグラフが、前記第１の未知の用語の前記意味であり得る、いかなる潜在的用語も含まないことを決定することと、
前記特定の時間間隔の持続時間および前記特定の時間間隔の前記位置のうちの少なくとも１つを調節することと、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定することと
を行うように構成される、前記制御回路
をさらに備える、項目１３に記載のシステム。
（項目２２）
テキストセグメント内の曖昧な用語の意味を識別するためのシステムであって、前記システムは、
前記テキストセグメント内の第１の未知の用語を識別するための手段と、
第１のコンテキスト用語に関して前記テキストセグメントを分析するための手段と、
前記第１のコンテキスト用語と関連付けられる第１のナレッジグラフにアクセスし、前記第１の未知の用語の意味である潜在的用語を識別することによって、前記第１の未知の用語の前記意味を決定するための手段と、
前記第１のナレッジグラフが前記第１の未知の用語の前記意味であり得る１つを上回る潜在的用語を含むことを決定することに応答して、
前記テキストセグメントと関連付けられるタイムスタンプを決定するための手段と、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定するための手段と
を備える、システム。
（項目２３）
前記第２のナレッジグラフは、特定の時間間隔と関連付けられ、前記特定の時間間隔の位置は、前記テキストセグメントの前記タイムスタンプに基づいて決定される、項目２２に記載のシステム。
（項目２４）
前記第２のナレッジグラフと関連付けられる前記特定の時間間隔の持続時間は、前記第１のナレッジグラフと関連付けられる時間間隔の持続時間よりも短い、項目２３に記載のシステム。
（項目２５）
前記第２のナレッジグラフと関連付けられる前記特定の時間間隔の前記位置は、前記第２のナレッジグラフと関連付けられる前記特定の時間間隔が前記タイムスタンプと重複するようなものである、項目２３に記載のシステム。
（項目２６）
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、項目２３に記載のシステム。
（項目２７）
前記特定の時間間隔の持続時間は、前記テキストセグメントを分析することによって識別される、時間インジケータに部分的に基づく、項目２３に記載のシステム。
（項目２８）
前記特定の時間間隔の持続時間は、前記テキストセグメントのソースに部分的に基づく、項目２３に記載のシステム。
（項目２９）
前記第１のナレッジグラフが、前記第１の未知の用語の前記意味であり得る、いかなる潜在的用語も含まないことを決定するための手段と、
前記テキストセグメント内の第２のコンテキスト用語を識別するための手段と、
前記第２のコンテキスト用語に基づいて、前記第１の未知の用語の前記意味を決定するための手段と
をさらに備える、項目２２に記載のシステム。
（項目３０）
前記第２のナレッジグラフが前記第１の未知の用語の前記意味であり得る１つを上回る潜在的用語を含むことを決定するための手段と、
前記特定の時間間隔の持続時間および前記特定の時間間隔の前記位置のうちの少なくとも１つを調節するための手段と、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定するための手段と
をさらに備える、項目２３に記載のシステム。
（項目３１）
前記第２のナレッジグラフが、前記第１の未知の用語の前記意味であり得る、いかなる潜在的用語も含まないことを決定するための手段と、
前記特定の時間間隔の持続時間および前記特定の時間間隔の前記位置のうちの少なくとも１つを調節するための手段と、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定するための手段と
をさらに備える、項目２３に記載のシステム。
（項目３２）
メモリを備える非一過性の機械可読媒体であって、前記メモリは、テキストセグメント内の曖昧な用語の意味を識別するための前記メモリ上に符号化された命令を伴い、前記命令は、
前記テキストセグメント内の第１の未知の用語を識別する命令と、
第１のコンテキスト用語に関して前記テキストセグメントを分析する命令と、
前記第１のコンテキスト用語と関連付けられる第１のナレッジグラフにアクセスし、前記第１の未知の用語の意味である潜在的用語を識別することによって、前記第１の未知の用語の前記意味を決定する命令と、
前記第１のナレッジグラフが前記第１の未知の用語の前記意味であり得る１つを上回る潜在的用語を含むことを決定することに応答して、
前記テキストセグメントと関連付けられるタイムスタンプを決定する命令と、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定する命令と
を備える、非一過性の機械可読媒体。
（項目３３）
前記第２のナレッジグラフは、特定の時間間隔と関連付けられ、前記特定の時間間隔の位置は、前記テキストセグメントの前記タイムスタンプに基づいて決定される、項目３２に記載の非一過性の機械可読媒体。
（項目３４）
前記第２のナレッジグラフと関連付けられる前記特定の時間間隔の持続時間は、前記第１のナレッジグラフと関連付けられる時間間隔の持続時間よりも短い、項目３３に記載の非一過性の機械可読媒体。
（項目３５）
前記第２のナレッジグラフと関連付けられる前記特定の時間間隔の前記位置は、前記第２のナレッジグラフと関連付けられる前記特定の時間間隔が前記タイムスタンプと重複するようなものである、項目３３に記載の非一過性の機械可読媒体。
（項目３６）
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、項目３３に記載の非一過性の機械可読媒体。
（項目３７）
前記特定の時間間隔の持続時間は、前記テキストセグメントを分析することによって識別される時間インジケータに部分的に基づく、項目３３に記載の非一過性の機械可読媒体。
（項目３８）
前記特定の時間間隔の持続時間は、前記テキストセグメントのソースに部分的に基づく、項目３３に記載の非一過性の機械可読媒体。
（項目３９）
前記第１のナレッジグラフが、前記第１の未知の用語の前記意味であり得る、いかなる潜在的用語も含まないことを決定する命令と、
前記テキストセグメント内の第２のコンテキスト用語を識別する命令と、
前記第２のコンテキスト用語に基づいて、前記第１の未知の用語の前記意味を決定する命令と
をさらに備える、項目３２に記載の非一過性の機械可読媒体。
（項目４０）
前記第２のナレッジグラフが前記第１の未知の用語の前記意味であり得る１つを上回る潜在的用語を含むことを決定する命令と、
前記特定の時間間隔の持続時間および前記特定の時間間隔の前記位置のうちの少なくとも１つを調節する命令と、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定する命令と
をさらに備える、項目３３に記載の非一過性の機械可読媒体。
（項目４１）
前記第２のナレッジグラフが、前記第１の未知の用語の前記意味であり得る、いかなる潜在的用語も含まないことを決定する命令と、
前記特定の時間間隔の持続時間および前記特定の時間間隔の前記位置のうちの少なくとも１つを調節する命令と、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定する命令と
をさらに備える、項目３３に記載の非一過性の機械可読媒体。
（項目４２）
テキストセグメント内の曖昧な用語の意味を識別するための方法であって、前記方法は、
前記テキストセグメント内の第１の未知の用語を識別することと、
第１のコンテキスト用語に関して前記テキストセグメントを分析することと、
前記第１のコンテキスト用語と関連付けられる第１のナレッジグラフにアクセスし、前記第１の未知の用語の意味である潜在的用語を識別することによって、前記第１の未知の用語の前記意味を決定することと、
前記第１のナレッジグラフが前記第１の未知の用語の前記意味であり得る１つを上回る潜在的用語を含むことを決定することに応答して、
前記テキストセグメントと関連付けられるタイムスタンプを決定することと、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定することと
を含む、方法。
（項目４３）
前記第２のナレッジグラフは、特定の時間間隔と関連付けられ、前記特定の時間間隔の位置は、前記テキストセグメントの前記タイムスタンプに基づいて決定される、項目４２に記載の方法。
（項目４４）
前記第２のナレッジグラフと関連付けられる前記特定の時間間隔の持続時間は、前記第１のナレッジグラフと関連付けられる時間間隔の持続時間よりも短い、項目４３に記載の方法。
（項目４５）
前記第２のナレッジグラフと関連付けられる前記特定の時間間隔の前記位置は、前記第２のナレッジグラフと関連付けられる前記特定の時間間隔が前記タイムスタンプと重複するようなものである、項目４３−４４のいずれかに記載の方法。
（項目４６）
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、項目４３−４４のいずれかに記載の方法。
（項目４７）
前記特定の時間間隔の持続時間は、前記テキストセグメントを分析することによって識別される時間インジケータに部分的に基づく、項目４３−４６のいずれかに記載の方法。
（項目４８）
前記特定の時間間隔の持続時間は、前記テキストセグメントのソースに部分的に基づく、項目４３−４７のいずれかに記載の方法。
（項目４９）
前記第１のナレッジグラフが、前記第１の未知の用語の前記意味であり得る、いかなる潜在的用語も含まないことを決定することと、
前記テキストセグメント内の第２のコンテキスト用語を識別することと、
前記第２のコンテキスト用語に基づいて、前記第１の未知の用語の前記意味を決定することと
をさらに含む、項目４２−４８のいずれかに記載の方法。
（項目５０）
前記第２のナレッジグラフが前記第１の未知の用語の前記意味であり得る１つを上回る潜在的用語を含むことを決定することと、
前記特定の時間間隔の持続時間および前記特定の時間間隔の前記位置のうちの少なくとも１つを調節することと、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定することと
をさらに含む、項目４３−４９のいずれかに記載の方法。
（項目５１）
前記第２のナレッジグラフが、前記第１の未知の用語の前記意味であり得る、いかなる潜在的用語も含まないことを決定することと、
前記特定の時間間隔の持続時間および前記特定の時間間隔の前記位置のうちの少なくとも１つを調節することと、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定することと
をさらに含む、項目４３−４９のいずれかに記載の方法。